(57)【要約】【課題】半円筒形状の部材を用いた従来のプランターに比べて容量が大きく、安定して設置でき、装飾性の高い外観を持ち、モウソウチクを有効利用でき、且つ安価であるプランターを提供する。【解決手段】左右略平行に立設された２つの支持板２と、横設された第１胴部５，及び第２胴部８を備えてなるプランター１である。第１胴部５は、竹を分割して得た半円筒形状の第１底板及び第１側板を有し、軸方向両端が支持板２，２に連結され封止されている。また、第２胴部８は、竹を分割して得た半円筒形状の第２底板及び第２側板を有し、両支持板２，２に穿設された支持用孔２ｆに嵌挿され、軸方向両端が端面板１２で封止されている。上記第１胴部５及び第２胴部８の材料にモウソウチクを用いると、使用用途の乏しい竹間伐材であるモウソウチクが有効利用される。【選択図】図１
0003159404.tif 000002
【実用新案登録請求の範囲】
【請求項１】
左右略平行に立設された２つの支持板，
竹を分割し内周面を上に向けて配置された半円筒形状の第１底板と、竹を２分割し内周面を相互略対向して配置されると共に、その下縁部が第１底板の上縁部に接合された半円筒形状の第１側板とを有し、軸方向両端が支持板に連結されて封止された第１胴部，
及び
竹を分割し内周面を上に向けて配置された半円筒形状の第２底板と、竹を２分割し内周面を相互略対向して配置されると共に、その下縁部が第２底板の上縁部に接合された半円筒形状の第２側板とを有し、両支持板に穿設された支持用孔に嵌挿され、軸方向両端が端面板で封止された第２胴部を備えてなることを特徴とするプランター。
【請求項２】
第１胴部及び第２胴部が、モウソウチクで作製されてなることを特徴とする請求項１に記載のプランター。
【請求項３】
支持板及び端面板が、展開竹平板で作製されてなることを特徴とする請求項１又は２に記載のプランター。
【考案の詳細な説明】
【技術分野】
【０００１】
本考案は、植物を育成するためのプランターに関する。
【背景技術】
【０００２】
プランターは、略直方体型のものが一般的であるが、門扉や塀へのハンギング等に向いている半円形のものなど、様々な材質、形状のものがある。
管を軸方向に２分割して得た半円筒状部材で作製された、半円筒状プランターも知られている。廃材の管を再利用して上記半円筒状プランターが作製されると、資源の有効利用に繋がる（例えば、特許文献１参照）。
【０００３】
プランターは、従来プラスチック製や陶器のものが多く使用されており、人工的な印象を与えるものであった。しかし近年では、木材等の天然素材で作製されたものや、装飾性のある鉢カバー等も使用されている。
繁殖してその処分に困る真竹を活用し、有効利用した植栽用ポットも開示されている（例えば、特許文献２参照）。
また、竹の円筒形状を生かした天然竹製花器において、該天然竹筒花器の内部の非水平の底部材に、上面が水平になるように耐水性固形物を配置し、該耐水性固形物を含む竹筒花器の内部全面をうるしで着色したものも開示されている（例えば、特許文献３参照）。
【０００４】
竹材の有効利用と用途拡大のために、竹を加圧展開して幅広な板を製造する方法が開示されている（例えば、特許文献４参照）。斯様な板のことを、以下、展開竹平板と称する。
【先行技術文献】
【特許文献】
【０００５】
【特許文献１】特開２００８−９２８７２号公報
【特許文献２】登録実用新案３１１８７３８号公報
【特許文献３】登録実用新案３１４３６０１号公報
【特許文献４】特公平７−１０２５３８号公報
【考案の概要】
【考案が解決しようとする課題】
【０００６】
上記特許文献１に記載の半円筒状プランターは、植え込み面積及び高さが等しい直方体状のプランターに比べて、容量が小さいので、根の成長が阻まれ、生育を阻害する虞があった。また、容量が小さく、栽培用土が少量しか入れられないと、水枯れし易かった。
ベランダ等にプランターを設置する場合、スペースが限られていることが多く、複数設置したい際には花台等の棚を置く必要があるが、花台等にプランターを設置すると、容易に移動できず、不便であった。
また、特許文献１に記載の半円筒状プランターは、高圧用金属製容器の廃品を再利用したものであり、人工的な印象を与える外観であった。
【０００７】
特許文献２に記載の植栽用ポットの容量は、竹を円筒形状のまま使用するため、竹本来の容量と変わらなかった。
【０００８】
特許文献３に記載の天然竹製花器は、生け花用の花器であり、栽培用土を入れる前提で作製した物ではなかった。また、上記天然竹製花器の容量は、竹を略円筒形状のまま使用するため、竹本来の容量と変わらないか、或いは小さかった。
【０００９】
かつて筍をとるために栽培されていたモウソウチクの竹林が放置された結果、繁殖力が異常に強いモウソウチクが周囲の植生に無秩序に侵入し、生態系が単純化する問題が起きている。また、モウソウチクは土壌保持力が低いため、崖崩れが起きやすくなるという問題も起きている。これら竹害の対策としてモウソウチクの間伐が行われ、伐採後のモウソウチクは竹間伐材として使用されている。しかし、その使用用途の乏しさが問題になっている。
特許文献２に記載の植栽用ポットは、径の小さな真竹を用いて作製されており、モウソウチクを使用するものではない。また、特許文献３に記載の天然竹製花器に使用される竹は少量であり、モウソウチクの有効利用には貢献しない。
【００１０】
これらの問題点に鑑み、本考案は、半円筒形状の部材を用いた従来のプランターに比べて容量が大きく、安定して設置でき、装飾性の高い外観を持ち、モウソウチクを有効利用でき、且つ安価であるプランターを提供することを課題とする。
【課題を解決するための手段】
【００１１】
上記課題を解決するための第１の考案は、
左右略平行に立設された２つの支持板，
竹を分割し内周面を上に向けて配置された半円筒形状の第１底板と、竹を２分割し内周面を相互略対向して配置されると共に、その下縁部が第１底板の上縁部に接合された半円筒形状の第１側板とを有し、軸方向両端が支持板に連結されて封止された第１胴部，
及び
竹を分割し内周面を上に向けて配置された半円筒形状の第２底板と、竹を２分割し内周面を相互略対向して配置されると共に、その下縁部が第２底板の上縁部に接合された半円筒形状の第２側板とを有し、両支持板に穿設された支持用孔に嵌挿され、軸方向両端が端面板で封止された第２胴部を備えてなることを特徴とするプランターである。
【００１２】
第２の考案は、
第１胴部及び第２胴部が、モウソウチクで作製されてなることを特徴とする第１の考案に係るプランターである。
【００１３】
第３の考案は、
支持板及び端面板が、展開竹平板で作製されてなることを特徴とする第１又は第２の考案に係るプランターである。
【考案の効果】
【００１４】
本考案のプランターは、半円筒形状の第１側板及び第２側板を、間隔をおいて夫々相互略対向配置し、しかもそれらの下縁部に接合された第１底板及び第２底板が垂設された構成であるから、竹を用いた従来の円筒形状及び半円筒形状プランターよりも大きな容量をもつ。容量が大きいと、より多くの栽培用土を入れられるので、水枯れが減る。また、根の伸長が阻害されにくいので、植物の生育も良くなる。
複数の胴部を具備し、植え込み面積が広いので、より多くの植物を植栽できる。また、花台等の棚が不要で、コンパクトに設置でき、移動が容易になる。移動が容易になるので、日照条件や風向き等に合わせて好適な場所にプランターを配置できる。
竹を有効利用でき、天然素材の竹の風合いが生かされた装飾品として使用できる。
【００１５】
第２の考案によると、使用用途の乏しい竹間伐材であるモウソウチクを有効利用でき、かつ安価に作製できる。
モウソウチクは、タケ類の中でも、大きな径を持ち、堅牢で、曲がらずに略真っ直ぐ伸びる特徴を有している。よって材料に用いると、容量が大きく堅牢で外観の良いプランターが作製できる。
【００１６】
第３の考案によると、外観の大部分を占める第１胴部，第２胴部，支持板，及び端面板が竹材で作製されるので、プランター全体に統一感が生まれ、より一層装飾品としての価値が上がる。
【図面の簡単な説明】
【００１７】
【図１】実施例のプランターを示す全体斜視図である。
【図２】実施例のプランターを示す正面図である。
【図３】実施例のプランターを示す側方視断面図である。
【図４】実施例のプランターを示す上面図である。
【図５】プランターの使用例を示す斜視図である。
【図６】参考例のプランターを示す図面で、（ａ）は全体斜視図であり、（ｂ）は側方視断面図である。
【考案を実施するための形態】
【００１８】
以下に、本考案を実施するための形態を、実施例を示す図面を参照して詳細に説明する。尚、これらの実施例に、本考案は限定されるものではない。
【実施例】
【００１９】
本考案に係るプランター１は、図１から図４に示されるように、
左右略平行に立設された２つの支持板２，
竹を分割し内周面を上に向けて配置された半円筒形状の第１底板３と、竹を２分割し内周面を相互略対向して配置されると共に、その下縁部１０が第１底板３の上縁部９に接合された半円筒形状の第１側板４，４とを有し、軸方向両端が支持板２，２に連結されて封止された第１胴部５，
及び
竹を分割し内周面を上に向けて配置された半円筒形状の第２底板６と、竹を２分割し内周面を相互略対向して配置されると共に、その下縁部１０が第２底板６の上縁部９に接合された半円筒形状の第２側板７，７とを有し、両支持板２，２に穿設された支持用孔２ｆに嵌挿され、軸方向両端が端面板１２で封止された第２胴部８を備えてなる。
【００２０】
支持板２は、展開竹平板を用いて、略平板状に形成された部材である。支持板２の上端中央付近には、取手部２ａが延設され、該取手部２ａには支持板２の表裏を連通する馬蹄形の取手用孔２ｂが穿設されている。また、支持板２の中央付近には、採光・通気用孔２ｄが穿設されている。支持板２の下端には、脚部２ｃ，２ｃが、下方に向け延出されて設けられている。
支持板２に取手部２ａを設けると、プランター１の運搬が容易になる。また、支持板２は、第１胴部５及び第２胴部８を所定高さに支持する機能を有しており、第２底板６がプランター１の設置面に接しないので、水はけが良くなる。風通しも良くなるので、プランター１の下部に汚れがたまりにくく、虫も寄り付きにくい。支持板２の下端に脚部２ｃ，２ｃを設けると、更にプランター１の設置面に接する支持板２下端面の面積が小さくなり、水はけ，及び風通しがよくなる。
取手部２ａの下方で、かつ支持板２，２上部内側の相互略対向した位置に、第１胴部５の両端を嵌め込むための凹み２ｅが設けられている。また、採光・通気用孔２ｄと脚部２ｃの間には、第２胴部８の縦断面の形に等しいか、やや大きい支持用孔２ｆが水平方向に穿設されおり、該支持用孔２ｆに第２胴部８が嵌挿されている。支持板２の形状は、これらに限定されるものではなく、例えば、取手部２ａを設けずに、取手用孔２ｂと採光・通気用孔２ｄを兼ねる略直方体状の孔を、凹み２ｅと支持用孔２ｆの間に設けてもよい。
支持板２の材料は、剛性を有するものであれば必ずしも展開竹平板に限られず、鉄，炭素鋼，ステンレス鋼等の金属、ポリ塩化ビニル，ポリエチレン等の合成樹脂、繊維強化プラスチック、セラミックス、コンクリート、木材、竹材、又は石材を用いることができる。
【００２１】
第１胴部５は、第１底板３及び第１側板４，４を具備している。第２胴部８は、第２底板６及び第２側板７，７を具備している。
【００２２】
第１底板３，第１側板４，第２底板６，及び第２側板７は、節の内側をくり抜いたモウソウチクで作製された半円筒形状の部材である。材料はモウソウチクに限定されず、剛性を有するものであれば良い。例えば、鉄，炭素鋼，ステンレス鋼等の金属、ポリ塩化ビニル，ポリエチレン等の合成樹脂、繊維強化プラスチック、セラミックス、陶器、コンクリート、木材，竹材，又は石材を用いることができる。
竹材を材料に用いる場合、第１側板４，及び第２側板７は、左右略対称の位置に節を配置すると外観が良い。
第１底板３の形状は、半円筒形状に限られず、上縁部９が第１側板４の下縁部１０と略隙間なく接合できる形状であれば、溝形形状，又は平板状でもよい。また、第２底板６の形状も、半円筒形状に限られず、上縁部９が第２側板７の下縁部１０と略隙間なく接合できる形状であれば、溝形形状，又は平板状でもよい。
第１底板３，及び第２底板６には、複数の水抜き用孔１１，…が穿設されている。水抜き用孔１１の数は１個以上であれば良く、その数を特に限定するものではない。
第１側板４，及び第２側板７の形状は、半円筒形状に限らず、中心角が鈍角の円弧状縦断面を有する溝形形状でもよい。
【００２３】
第１底板３の上縁部９と、第１側板４，４の下縁部１０がワイヤで結着され、第１胴部５が形成されている。接合手段はこれに限らず、ボルト及びナット，ピン等の止着材で止着されてもよい。また、プランター１の容量を大きくするために、第１胴部５は、第１側板４，４が鉛直よりやや外側に傾いた状態で形成されていても良い。
第１胴部５の軸方向両端は、支持板２の凹み２ｅに嵌合され、封止されている。支持板２と第１胴部５の連結方法はこれに限らず、例えば、更に止着材で止着されていてもよい。また、溶接により接合されていてもよい。
【００２４】
第２底板６の上縁部９と、第２側板７，７の下端部６は、ワイヤで結着されている。接合手段はこれに限らず、ボルト及びナット，ピン等の止着材で止着されてもよい。また、プランター１の容量を大きくするために、第２胴部８は、第２側板７，７が鉛直よりやや外側に傾いた状態で形成されていても良い。
第２胴部８の軸方向両端部は、端面板１２で封止されている。端面板１２は、上端面板１２ａ及び下端面板１２ｂからなる。
第２側板７の両端は、図２に示すように、上部が突出するように斜めに削いだ形状であり、内周面に上端面板１２ａが図示しない止着材で止着されている。また、第２底板６の両端は、鉛直方向に切断された形状であり、当該切断面に下端面板１２ｂが当接されて止着されている。第２側板７及び第２底板６の両端の形状と、端面板１２の形状及び接合位置は、これに限るものではない。例えば、第２側板７及び第２底板６の両端面が鉛直状に切断された形状で、一体として形成された端面板１２が、両端の内周面に止着材で止着されていても良い。また、接合方法は限定されるものではない。
【００２５】
第１胴部５と第２胴部８の長手方向長さの比は、見た目が安定した印象を受けるように、黄金比に近い比とされているが、これに限定されるものではない。また、第２胴部８は、第１胴部５より容量が大きくされると、重心が下がり、安定する。
プランター１は、第１胴部５及び第２胴部８を各々１段ずつ有することに限られず、３段以上で構成されてもよい。
【００２６】
支持板２，第１胴部５，及び第２胴部８には、支柱用孔１３を穿設することができる。例えば、図１及び図３に示される様に、第１側板４及び第２側板７の中央付近と、第２側板７の両端部に、縦支柱１４ａ用の支柱用孔１３を鉛直方向に穿設し、支持板２の上部両端付近，及び凹み２ｅの下方に、横支柱１４ｂ用の支柱用孔１３を水平方向に穿設する。支柱用孔１３の位置は、これらに限定されるものではなく、例えば、図３に示す凹み２ｅの下方に穿設された支柱用孔１３と左右略対称の位置に、更に１個の支柱用孔１３を穿設してもよい。また、支柱用孔１３の数も、限定されるものではない。
【００２７】
図２及び図５に示すように、縦支柱１４ａと横支柱１４ｂの上部には、アーチ型支柱１４ｃ又は円形支柱１４ｄが連結されてもよい。図５に示すように、アーチ型支柱を配設すると、蔓性植物１５の栽培が可能である。また、蔓性植物１５と、他の植物を組合わせて植栽することもできる。図２に示すように、プランター１の上方に円形支柱１４ｄを連結すると、当該支柱をＬＥＤランプや電球で装飾してイルミネーションとしても使用できる。支柱１４の形状は、これらに限定されず、栽培する植物に合わせて配置できる。
第１胴部５，第２胴部８，支持板２，及び端面板１２で形成される植付用空間１６には、栽培用土１７が入れられ、任意の植物１８が植栽される。栽培用土１７の種類は特に限定されず、腐葉土、培養土等任意の栽培用土を用いることができる。また、第２胴部８の両端付近は、支持板２，２の外側に位置し、上方が開放されているので、第２胴部８の上端から第１胴部５の下端の距離より背丈が大きい植物を栽培することができる。
【００２８】
尚、プランター１は、建物のベランダ，バルコニー，公園，庭等の屋外に限らず、屋内にも設置できる。また、取手部２ａを設けたので、持ち運びやすく、容易に設置場所が変えられる。
第１胴部５，及び第２胴部８の材料にモウソウチクを使用し、更に支持板２の材料に展開竹平板を用いると、プランター１の外観の大部分が竹製になるので、統一感が生まれ、竹製品としての装飾性が高まる。
設置する場所や、栽培する植物１８の種類を考慮して、プランター１を着色してもよい。任意色の塗料を塗っても良く、又は外観の劣化が気になる場合は、竹の柄や、その他任意の模様をプリントしたフィルム等を貼ってもよい。
【参考例】
【００２９】
以下、本考案の参考例について説明するが、実施例と同一部分には同一符号を付して、詳細な説明は省略する。
【００３０】
参考例のプランター１’は、図６に示されるように、
左右略平行に立設された２つの支持板２，
上部が開放された溝形形状の底板２１と、竹を分割し内周面を相互略対向して配置されると共に、その下縁部１０が底板２１の上縁部９に接合された半円筒形状の側板２２，２２とを有し、軸方向両端部が支持板２，２に連結されて封止された胴部２３からなる。
【００３１】
支持板２は、展開竹平板を材料にした略平板状の部材である。支持板２の上端中央付近には、取手部２ａが上方に延設され、該取手部２ａには支持板２の表裏を連通する馬蹄形の取手用孔２ｂが穿設されている。また、支持板２の下端には、脚部２ｃ，２ｃが垂設されている。
支持板２は、側板２２の両端部の内周面、及び底板２１の両端面に、図示しない止着材で止着され、胴部２３の軸方向両端部を封止している。支持板２の形状は、これらに限定されるものではない。また、止着手段も限定されるものではない。
側板２２は、節の内側をくり抜いたモウソウチクで作製された半円筒形状の部材である。
底板２１の形状は、上縁部９が、側板２２の下縁部１０と略隙間なく接合できる形状であれば、上部が開放された溝形形状に限られない。底板２１には、複数の水抜き用孔１１，…が穿設されている。水抜き用孔１１の数は１個以上であれば良く、その数を特に限定するものではない。
【００３２】
支持板２，底板２１，及び側板２２の材料は、これらに限定されるものではなく、剛性を有するものであればよい。例えば、鉄，炭素鋼，ステンレス鋼等の金属、ポリ塩化ビニル，ポリエチレン等の合成樹脂、繊維強化プラスチック、セラミックス、陶器、コンクリート、木材，竹材，又は石材を用いることができる。
側板２２の材料にモウソウチクを使用し、更に支持板２の材料に展開竹平板を用いると、プランター１’の外観の大部分が竹製になるので、統一感が生まれ、竹製品としての装飾性が高まる。
【符号の説明】
【００３３】
１，１’  プランター
２  支持板
２ａ  取手部
２ｂ  取手用孔
２ｃ  脚部
２ｄ  採光・通気用孔
２ｅ  凹み
２ｆ  支持用孔  
３  第１底板
４  第１側板
５  第１胴部
６  第２底板
７  第２側板
８  第２胴部
９  上縁部
１０  下縁部
１１  水抜き用孔
１２  端面板
１２ａ  上端面板
１２ｂ  下端面板
１３  支柱用孔
１４  支柱
１４ａ  縦支柱
１４ｂ  横支柱
１４ｃ  アーチ型支柱
１４ｄ  円形支柱
１５  蔓性植物
１６  植付用空間
１７  栽培用土
１８  植物
２１  底板
２２  側板
２３  胴部
【図１】
0003159404.tif 000003
【図２】
0003159404.tif 000004
【図３】
0003159404.tif 000005
【図４】
0003159404.tif 000006
【図５】
0003159404.tif 000007
【図６】
0003159404.tif 000008